(57)【要約】【課題】ワイヤーロープ式防護柵を用いた場合の前記問題点である「ワイヤーロープとの接触により走行車体が損傷すること」が極力回避されるように、ワイヤーロープに被せるワイヤーロープカバーを提供する。【解決手段】筒状のカバー本体２と、カバー本体２の軸心Ｐ方向に貫通形成される切り込み３とを有し、カバー本体２は、硬質合成樹脂材製の芯材４と、芯材４より柔らかい合成樹脂材製で芯材４を覆う主材５とから形成されているワイヤーロープカバー。芯材４がコイル状に形成されるとともに、主材５が円筒状に形成されている。【選択図】図１
2020186535.tif 000002
【特許請求の範囲】
【請求項１】
筒状のカバー本体と、前記カバー本体の軸心方向に貫通形成される切り込みとを有し、
前記カバー本体は、合成樹脂製の芯材と、前記芯材より柔らかい合成樹脂製で前記芯材を覆う主材とから形成されているワイヤーロープカバー。
【請求項２】
前記切り込みの一端部及び／又は他端部が、前記軸心方向で端に行くほど切り込み幅が大となる開先状に形成されている請求項１に記載のワイヤーロープカバー。
【請求項３】
前記主材は前記芯材と種類が同じで硬度の低い合成樹脂製である請求項１又は２に記載のワイヤーロープカバー。
【請求項４】
前記芯材が硬質塩化ビニル樹脂製であり、前記主材が軟質塩化ビニル樹脂製である請求項３に記載のワイヤーロープカバー。
【請求項５】
前記主材の硬度ｄａは、（ＪＩＳ  Ｋ  ７２１５）プラスチックのデュロメータ硬さ試験方法のタイプＡに準拠して測定した値で５０〜９０（５０≦ｄａ≦９０）であり、前記芯材の硬度ｄｂは、前記試験方法のタイプＤに準拠して測定した値で６０〜９０（６０≦ｄｂ≦９０）である請求項１〜４に記載のワイヤーロープカバー。
【請求項６】
前記主材の硬度ｄａは、（ＪＩＳ  Ｋ  ７２１５）プラスチックのデュロメータ硬さ試験方法のタイプＡに準拠して測定した値で６０〜７５（６０≦ｄａ≦７５）であり、前記芯材の硬度ｄｂは、前記試験方法のタイプＤに準拠して測定した値で６５〜８５（６５≦ｄｂ≦８５）である請求項１〜５に記載のワイヤーロープカバー。
【請求項７】
前記芯材がコイル状に形成されるとともに、前記主材が円筒状に形成されている請求項１〜６の何れか一項に記載のワイヤーロープカバー。
【請求項８】
前記カバー本体の外表面に反射体が設けられている請求項１〜７の何れか一項に記載のワイヤーロープカバー。
【請求項９】
前記主材は、蓄光材が混ぜられた合成樹脂製である請求項１〜７の何れか一項に記載のワイヤーロープカバー。 
【発明の詳細な説明】
【技術分野】
【０００１】
本発明は、主として道路の線形や中央線を標示するために用いられるワイヤーロープ式防護柵に好適なワイヤーロープカバーに関するものである。
【背景技術】
【０００２】
高速道路や一般道路における中央線（センターライン）を示す手段としては、特許文献１や特許文献２で開示されているように、進行方向に適宜の間隔を置いて立設される多数の標識柱が知られている。また、特許文献３や特許文献４で開示されるように、適宜の間隔で並ぶ支柱と、隣り合う支柱に亘って架設されるガードレールやパネルとでなる防護柵も知られている。
【０００３】
前者の標識柱を用いる手段は、コスト安で工期も短くて済む利点があり、多用されているが、対向車の食み出しを防止できない点で不利である。後者の防護柵を用いる手段は、施工コストが比較的高くなる点で不利ではあるが、対向車の食み出し防止効果がある点で評価は高い。
【０００４】
そこで、対向車の食み出し防止機能を備えながらコスト増を抑えたものとして、ワイヤーロープを用いた防護柵（例：特許文献５）が使われつつある。このワイヤーロープ式防護柵は、例えば、高速道路の暫定二車線区間における中央分離標に、対向車線への飛び出し防止として広まってきている。
【先行技術文献】
【特許文献】
【０００５】
【特許文献１】特開２０１５−２０６１７０号公報
【特許文献２】特開２００９−２９９３０６号公報
【特許文献３】特開平９−４９２１６号公報
【特許文献４】特開平１０−１８２３６号公報
【特許文献５】特開２０１１−２０８４９１号公報
【発明の概要】
【発明が解決しようとする課題】
【０００６】
ワイヤーロープ式防護柵を中央分離帯として用いた場合、対向車の食み出し（飛び出し）防止機能がある点は好ましいが、金属製のワイヤーロープと接触することによって走行車体に傷ができてしまう点が指摘されてきている。
【０００７】
本発明の目的は、ワイヤーロープ式防護柵を用いた場合の前記問題点である「ワイヤーロープとの接触により走行車体が損傷すること」が極力回避されるように、ワイヤーロープに被せるカバー、即ち、ワイヤーロープカバーを開発して提供する点にある。
【課題を解決するための手段】
【０００８】
本発明は、ワイヤーロープカバーにおいて、筒状のカバー本体２と、前記カバー本体２の軸心Ｐ方向に貫通形成される切り込み３とを有し、
前記カバー本体２は、合成樹脂製の芯材４と、前記芯材４より柔らかい合成樹脂製で前記芯材４を覆う主材５とから形成されていることを特徴とする。
【０００９】
前記切り込み３の一端部３ａ及び／又は他端部３ｂが、前記軸心Ｐ方向で端に行くほど切り込み幅が大となる開先状に形成されているとよい。前記主材５は前記芯材４と種類が同じで硬度の低い合成樹脂製であると好都合であり、前記芯材４が硬質塩化ビニル樹脂製であり、前記主材５が軟質塩化ビニル樹脂製であればより好都合である。
【００１０】
前記主材の硬度ｄａは、（ＪＩＳ  Ｋ  ７２１５−１９８６）によるプラスチックのデュロメータ硬さ試験方法のタイプＡに準拠して測定した値（以下「デュロメータＡ硬さ」と称す）で５０〜９０（５０≦ｄａ≦９０）であり、前記芯材の硬度ｄｂは、前記試験方法のタイプＤに準拠して測定した値（以下「デュロメータＤ硬さ」と称す）で６０〜９０（６０≦ｄｂ≦９０）であるとよい。この場合、主材の硬度ｄａがデュロメータＡ硬さで６０〜７５（６０≦ｄａ≦７５）であり、芯材の硬度ｄｂがデュロメータＤ硬さで６５〜８５（６５≦ｄｂ≦８５）であるとさらによい。
【００１１】
また、前記芯材４がコイル状に形成されるとともに、前記主材５が円筒状に形成されていると好都合である。そして、前記カバー本体２の外表面２ａに反射体８が設けられているとより好都合である。また、主材５を、蓄光材が混ぜられた合成樹脂製としてもよい。
【発明の効果】
【００１２】
本発明は、ワイヤーロープに被せて使用するに好適なワイヤーロープカバーを、柔らかさ（硬さ）の互いに異なる２つの材料から構成した点にある。
例えば、１つの材料からなるワイヤーロープカバーでは、ワイヤーロープへの装着作業性を重視した柔らかさ（硬さ）にすれば、走行車両接触時の強さ（耐衝撃強さ）が十分にならない問題がある。一方、その強さ（耐衝撃強さ）を重視した柔らかさ（硬さ）にすれば、ばね定数が高くなってワイヤーロープへの装着が困難になって作業性が悪くなる問題がある。従って、１つの材料によるワイヤーロープカバーでは改善の余地がある。
【００１３】
本発明によるワイヤーロープカバーは、硬質材製の芯材と、芯材を覆う軟質材製の主材とでなるから、ワイヤーロープに装着する際の弾性変形をさせ易いしなやかさと、自動車などの走行車両が強く接触した際の耐衝撃強さとを兼ね備えることが可能となる利点がある。
【００１４】
その結果、ワイヤーロープ式防護柵を用いた場合の問題点である「ワイヤーロープとの接触により走行車体が損傷すること」が極力回避されるように、ワイヤーロープに被せて使用されるワイヤーロープカバーを提供することができる。
【図面の簡単な説明】
【００１５】
【図１】ワイヤーロープカバーを示し、（Ａ）は底面図、（Ｂ）は図１（Ａ）のＺ−Ｚ線で切った断面図
【図２】ワイヤーロープカバーをワイヤーロープに装着する手順を示し、（Ａ）はワイヤーロープカバーの拡径工程、（Ｂ）は被せ工程
【図３】ワイヤーロープ式防護柵への装着例を示す側面図
【発明を実施するための形態】
【００１６】
以下に、本発明によるワイヤーロープカバーの実施の形態を、図面を参照しながら説明する。
【００１７】
〔実施形態１〕
図１（Ａ），（Ｂ）に示されるように、ワイヤーロープカバー１は、円筒状のカバー本体２と、カバー本体２の軸心Ｐ方向に貫通形成される切り込み（スリット）３とを有して構成されている。カバー本体２は、可撓性を有する硬質材製の芯材４と、芯材４より柔らかくて可撓性を有する材料製で芯材４を覆う主材５とから形成されている。
【００１８】
芯材４は、合成樹脂製であって、円形材料を螺旋状に巻いた円形コイル状のものに形成されている。主材５は、合成樹脂製であって芯材４を覆って内包する円筒状の部材である。ワイヤーロープカバー１においては、図１（Ｂ）に示されるように、芯材４は主材５に埋設されており、外観として芯材４が見えるとすれば、軸心Ｐ方向（長手方向）の各端面のみである。
【００１９】
図１（Ａ）に示されるように、切り込み３の軸心Ｐ方向での一端部３ａ及び他端部３ｂは、軸心Ｐ方向で端に行くほど切り込み幅が大となる開先状（先拡がり状）に形成されている。これら開先状の端部３ａ，３ｂを設けることにより、ワイヤーロープへの装着作業（後述）がやり易くなる利点がある。
【００２０】
ワイヤーロープカバー１は、例えば、押出成形により、芯材４を内包した主材５を螺旋状に押し出して巻き付けることにより、主材５が一体化されてコイル状の芯材４が内包された円筒状のカバー原形が作成される。そして、カバー原形に加工して切り込み３を設けることにより、図１（Ａ）に示されるワイヤーロープカバー１が作製される。
【００２１】
また、ワイヤーロープカバー１は、長手方向の各端面以外の箇所において芯材４が外から見える状態のワイヤーロープカバー１も可能である。例えば、芯材４が主材５から径内側に有る程度はみ出て内面側に露出する構造のワイヤーロープカバー１でもよい。
【００２２】
ワイヤーロープカバー１の使用例を図３に示す。高速道路Ｗの中央分離帯として、適宜の間隔を置いて立設される多数の支柱６と、それら支柱６に亘って複数本（例：５本）のワイヤーロープ７が上下一列に並んで架設される構造のワイヤーロープ式防護柵Ａに、実施形態１によるワイヤーロープカバー１が適用されている。
【００２３】
図３においては、１つの装着例として、上下方向で奇数段の列のワイヤーロープ７には２つのワイヤーロープカバー１，１が装備され、偶数段の列のワイヤーロープ７には１つのワイヤーロープカバー１が装備されている。なお、図３において、隣り合う支柱６，６の間隔などの各部の寸法緒元は、図示の通りの寸法比とは限らない。
【００２４】
ワイヤーロープカバー１をワイヤーロープ７に装着するには、まず、図２（Ａ）に示されるように、ワイヤーロープカバー１を強制的に開き操作し、切り込み３の幅をワイヤーロープ７に嵌め入れ可能な大きさまで拡大させる拡径工程を行う。次いで、ワイヤーロープカバー１を移動し、図２（Ｂ）に示されるように、拡大されている切り込み３からワイヤーロープ７に被せる被せ工程を行う。ワイヤーロープ７は、３本のワイヤー７ａを束ねたものとして描いてあるが、この限りではない。
【００２５】
被せ工程において、ワイヤーロープカバー１の開き状態を解除すると、図２（Ｂ）に示されるように、弾性により切り込み３が基の幅となる状態にワイヤーロープカバー１が閉じ変位し、ワイヤーロープ７への装着が完了する。なお、図２（Ｂ）では、ワイヤーロープ７にワイヤーロープカバー１が遊嵌合するように描かれているが、弾性によりワイヤーロープカバー１がワイヤーロープ７に密嵌合する設定とすれば、ワイヤーロープカバー１のズレ動きが抑制又は回避され、位置固定が可能になるなど、好都合である。
【００２６】
例えば、１つの材料からなるワイヤーロープカバーの場合には、ワイヤーロープ７への装着作業性を重視した柔らかさ（硬さ）にすれば、走行車両接触時の強さに欠ける。また、装着後に外れ易くなる不利もある。一方、その強さを重視した、或いは装着後の外れ難さも重視した柔らかさ（硬さ）にすれば、ばね定数が高くなってワイヤーロープへの装着が困難になって作業性が悪く、いずれの場合でも改善の余地がある。
【００２７】
図３に示されるように、ワイヤーロープカバー１付のワイヤーロープ式防護柵Ａが施された道路では、自動車などの走行車両が対向車線に飛び出そうとしてワイヤーロープ７に接触しても、表面に合成樹脂製のワイヤーロープカバー１が装着されているので、金属製のワイヤーロープ７に接触する場合に比べて、走行車体や二輪車体などの損傷が大幅に抑制又は回避される利点がある。
【００２８】
ワイヤーロープカバー１は、硬質材製の芯材４と、芯材４を覆う軟質材製の主材５とでなるものであるから、ワイヤーロープ７に装着する際の弾性変形をさせ易いしなやかさと、自動車などの走行車両が強く接触した際の耐衝撃強さとを兼ね備える利点がある。例えば、主材５のみによるワイヤーロープカバーでは、切り込み３を広げてワイヤーロープに取付けた後、元の切り込みの幅に復元され難くなるが、本発明においては、主材５よりも硬い芯材４が入れられているので、元の切り込みの幅に復元し易く、装着後に外れ難くなる利点もある。
【００２９】
また、図３に示されるように、ワイヤーロープカバー１の（カバー本体２の）外表面２ａの全面や部分的に、或いはフレキシブルな面の凹部に反射部材（反射体の一例）８を設けておけば好都合である。反射部材８としては、光を乱反射する反射シートとすれば、夜間におけるワイヤーロープカバー１の（ワイヤーロープ７の）視認性が明確に向上して好ましい。フレキシブルな面の凹部とは、蛇腹状の外観を呈するワイヤーロープカバー１（図示省略）である場合の凹んだ箇所のことである。
【００３０】
ワイヤーロープカバー１の実施例について説明する。
〔実施例１〕
・主材５の硬度ｄａが、デュロメータＡ硬さで５０〜９０（５０≦ｄａ≦９０）である軟質塩化ビニル樹脂。
・芯材４の硬度ｄｂが、デュロメータＤ硬さで６０〜９０（６０≦ｄｂ≦９０）である硬質塩化ビニル樹脂。
・芯材４の径が２．５〜３．０ｍｍ、螺旋ピッチが４〜５．５ｍｍ
なお、主材５の硬度ｄａをデュロメータＤ硬さに換算すると、おおよそ１３〜４０に相当し、当然ながら、芯材４の硬度ｄｂは主材５の硬度ｄａより高い値となっている。
【００３１】
〔実施例２〕
・主材５の硬度ｄａが、デュロメータＡ硬さで６０〜７５（６０≦ｄａ≦７５）である合成樹脂。
・芯材４の硬度ｄｂが、デュロメータＤ硬さで６５〜８５（６５≦ｄｂ≦８５）である合成樹脂。
・芯材４の径が２．０〜９．０ｍｍ、螺旋ピッチが４．０〜２４ｍｍ
・主材５の材料が軟質塩化ビニル樹脂
・芯材４の材料が硬質塩化ビニル樹脂
なお、主材５の硬度ｄａをデュロメータＤ硬さに換算すると、おおよそ１７〜２７に相当し、当然ながら、芯材４の硬度ｄｂは主材５の硬度ｄａより高い値となっている。
【００３２】
〔実施例３〕
・芯材４の断面形状やコイル状の形状は、円形のほか、楕円形、四角形、多角形などでもよい。
【００３３】
〔別実施例〕
・主材５の材料は、軟質塩化ビニル樹脂に限定されず、ＴＰＵ、ＴＰＯ、ナイロン、シリコーンゴムなどのうちのいずれかでもよい。
・芯材４の材料は、硬質塩化ビニル樹脂に限定されず、ポリプロピレン樹脂、高密度ポリエチレン樹脂、アクリル樹脂、ＡＢＳ樹脂などのうちのいずれかであってもよい。
【００３４】
芯材４が主材５の内部に被着される構造や、芯材４が主材５の外部に被着される構造のワイヤーロープカバー１でもよい。
反射体８は、矩形や円形の乱反射シートなど、種々の変更設定が可能である。
また、主材５が、蓄光材が混入（配合）された合成樹脂製としてもよく、そうすれば、夜間に主材５が光って視認性が良くなるワイヤーロープカバー１となる利点がある。
【符号の説明】
【００３５】
２          カバー本体
２ａ        外表面
３          切り込み
３ａ        一端部
３ｂ        他端部
４          芯材
５          主材
８          反射体
Ｐ          軸心
【図１】
2020186535.tif 000003
【図２】
2020186535.tif 000004
【図３】
2020186535.tif 000005